(57)【要約】【課題】複数の燃料電池システムの起動制御の新たな仕組みを提供する。【解決手段】系統電源の停電時、複数の燃料電池システムの中に稼働している燃料電池システムが存在しない場合、稼働していない燃料電池システムの夫々から燃料電池システムに関する情報を取得し、夫々の燃料電池システムに関する情報を基に、稼働していない燃料電池システムの中から初めに起動する燃料電池システムを決定し、蓄電池システムの放電電力により初めに起動すると決定された燃料電池システムを起動させる。【選択図】図１
2017126441.tif 000002
【特許請求の範囲】
【請求項１】
燃料電池システムを制御するコンピュータと通信して、複数の燃料電池システムの起動を制御する統合制御装置が実行する統合制御方法であって、
系統電源の停電を検知するセンサから当該系統電源の停電を示す停電情報を受信し、
前記停電情報を受信した場合に、前記複数の燃料電池システムの夫々が稼働しているか否かを判断し、
前記複数の燃料電池システムの中に稼働している燃料電池システムが存在しない場合、稼働していない燃料電池システムの夫々から燃料電池システムに関する燃料電池情報を取得し、
前記稼働していない燃料電池システムの夫々の前記燃料電池情報を基に、前記稼働していない燃料電池システムの中から初めに起動する燃料電池システムを決定し、
蓄電池システムの放電電力により初めに起動すると決定された前記燃料電池システムを起動させる、
統合制御方法。
【請求項２】
前記複数の燃料電池システムの中に稼働している燃料電池システムが存在しない場合、前記稼働していない燃料電池システムの燃料電池情報の取得を行う前に、前記蓄電池システムの放電電力により、前記稼働していない燃料電池システムの夫々を前記統合制御装置と通信可能な状態にさせる、
請求項１記載の統合制御方法。
【請求項３】
前記燃料電池システムが稼働しているか否かの判断は、
前記燃料電池システムの稼働状況の通知を要求する稼働要求信号を生成して前記燃料電池システムに送信し、
前記燃料電池システムからの前記稼働要求信号に対する前記燃料電池システムの稼働状況を通知する稼働応答信号に基づいて行われ、
前記燃料電池システムに関する燃料電池情報の取得は、
前記燃料電池情報の通知を要求する情報要求信号を生成して前記燃料電池システムに送信し、
前記燃料電池システムからの前記情報要求信号に対する前記燃料電池情報を通知する情報応答信号を受信することにより行い、
前記蓄電池システムから前記燃料電池システムへの放電電力の供給は、前記蓄電池システムと前記燃料電池システムとの間に設けられたスイッチにより、前記蓄電池システムと前記燃料電池システムとを電気的に接続することにより行われる、
請求項２記載の統合制御方法。
【請求項４】
前記複数の燃料電池システムの中に稼働している燃料電池システムが存在する場合、稼働していない燃料電池システムの夫々から前記燃料電池情報を取得し、
前記稼働していない燃料電池システムの夫々の前記燃料電池情報を基に、前記稼働していない燃料電池システムの中から初めに起動する燃料電池システムを決定し、
前記稼働している燃料電池システムの発電電力により初めに起動すると決定された前記燃料電池システムを起動させる、
請求項１に記載の統合制御方法。
【請求項５】
前記複数の燃料電池システムの中に稼働している燃料電池システムが存在する場合、前記稼働していない燃料電池システムの燃料電池情報の取得を行う前に、前記稼働している燃料電池システムの発電電力により前記稼働していない燃料電池システムの夫々を前記統合制御装置と通信可能な状態にさせる、
請求項４記載の統合制御方法。
【請求項６】
前記燃料電池情報は、前記燃料電池システムに備えられる貯湯タンクの残り蓄熱可能量を示す情報であり、
前記稼働していない燃料電池システムの夫々の前記残り蓄熱可能量に基づいて、前記稼働していない燃料電池システムの中で、前記残り蓄熱可能量が少なくも一部の他の燃料電池システムの前記残り蓄熱可能量よりも大きい燃料電池システムを、前記初めに起動する燃料電池システムとして決定する、
請求項１記載の統合制御方法。
【請求項７】
前記燃料電池情報は、前記燃料電池システムに備えられる貯湯タンクの残り蓄熱可能量を示す情報であり、
前記稼働していない燃料電池システムの夫々について、前記残り蓄熱可能量から稼動可能時間を算出し、
前記稼働していない燃料電池システムの夫々の前記稼働可能時間に基づいて、前記稼働していない燃料電池システムの中で、前記稼動可能時間が少なくも一部の他の燃料電池システムの前記稼動可能時間よりも長い燃料電池システムを、前記初めに起動する燃料電池システムとして決定する、
請求項１記載の統合制御方法。
【請求項８】
前記燃料電池情報は、前記燃料電池システムの起動に要する起動電力量を示す情報であり、
前記稼働していない燃料電池システムの夫々の前記起動電力量に基づいて、前記稼働していない燃料電池システムの中で、前記起動電力量が少なくも一部の他の燃料電池システムの前記起動電力量よりも小さい燃料電池システムを、前記初めに起動する燃料電池システムとして決定する、
請求項１記載の統合制御方法。
【請求項９】
前記燃料電池情報は、前記燃料電池システムの起動に要する起動電力量を示す情報、及び、前記燃料電池システムの定格出力を示す情報であり、
前記蓄電地システムの残存電力量を示す情報を取得し、
前記稼働していない燃料電池システムの夫々の前記起動電力量、及び、前記定格電力と、前記蓄電池システムの前記残存電力量とに基づいて、前記起動電力量が前記残存電力量以下である前記稼働していない燃料電池システムの中で、前記定格出力が少なくも一部の他の燃料電池システムの前記定格出力よりも大きい燃料電池システムを、前記初めに起動する燃料電池システムとして決定する、
請求項１記載の統合制御方法。
【請求項１０】
前記燃料電池情報は、前記燃料電池システムの温度を示す情報であり、
前記稼働していない燃料電池システムの夫々の前記温度に基づいて、前記温度が所定温度以下である前記稼働していない燃料電池システムの中で、前記温度が少なくも一部の他の燃料電池システムの前記温度よりも高い燃料電池システムを、前記初めに起動する燃料電池システムとして決定する、
請求項１記載の統合制御方法。
【請求項１１】
前記停電情報を受信した場合に稼働している燃料電池システムの定格出力の総和が複数の需要家に備えられている停電時優先負荷の需要電力の総和を超えている場合、新たに燃料電池システムを起動せずに、前記稼働している燃料電池システムの定格出力の総和が前記需要電力の総和になるように前記稼働している燃料電池システムの稼働を停止させ又は発電量を低下させる、
請求項４記載の統合制御方法。
【請求項１２】
前記停電情報を受信した場合、前記複数の燃料電池システムの夫々が稼働しているか否かを判断する前に、前記蓄電池システムの放電電力を、前記統合制御装置に供給させる、
請求項１記載の統合制御方法。
【請求項１３】
前記蓄電システムは、前記複数の燃料電池システムの少なくとも１つの前記燃料電池システムの中に設けられている、
請求項１記載の統合制御方法。
【請求項１４】
前記蓄電システムは、前記複数の燃料電池システムとは異なる場所に設けられている、
請求項１記載の統合制御方法。
【請求項１５】
前記系統電源の停電前は、前記複数の燃料電池システムの夫々は自らが備えるコントローラによって制御され、
前記系統電源が停電した場合、前記統合制御装置が前記コントローラとの通信を介して、前記複数の燃料電池システムの夫々を制御する、
請求項１記載の統合制御方法。
【請求項１６】
燃料電池システムを制御するコンピュータと通信して、複数の燃料電池システムの起動を制御する統合制御装置であって、
前記統合制御装置はコントローラ及びインターフェースを備え、
前記コントローラは、
系統電源の停電を検知するセンサから当該系統電源の停電を示す停電情報を前記インターフェースを介して受信し、
前記停電情報を受信した場合に、前記複数の燃料電池システムの夫々が稼働しているか否かを判断し、
前記複数の燃料電池システムの中に稼働している燃料電池システムが存在しない場合、稼働していない燃料電池システムの夫々から燃料電池システムに関する燃料電池情報を前記インターフェースを介して取得し、
前記稼働していない燃料電池システムの夫々の前記燃料電池情報を基に、前記稼働していない燃料電池システムの中から初めに起動する燃料電池システムを決定し、
蓄電池システムの放電電力により初めに起動すると決定された前記燃料電池システムを起動させる、
統合制御装置。
【請求項１７】
燃料電池システムを制御するコンピュータと通信して、複数の燃料電池システムの起動を制御する統合制御装置が実行するプログラムであって、
前記統合制御装置に、
系統電源の停電を検知するセンサから当該系統電源の停電を示す停電情報を受信し、
前記停電情報を受信した場合に、前記複数の燃料電池システムの夫々が稼働しているか否かを判断し、
前記複数の燃料電池システムの中に稼働している燃料電池システムが存在しない場合、稼働していない燃料電池システムの夫々から燃料電池システムに関する燃料電池情報を取得し、
前記稼働していない燃料電池システムの夫々の前記燃料電池情報を基に、前記稼働していない燃料電池システムの中から初めに起動する燃料電池システムを決定し、
蓄電池システムの放電電力により初めに起動すると決定された前記燃料電池システムを起動させる、
処理を実行させるプログラム。
【請求項１８】
統合制御装置、複数の燃料電池システム、蓄電池システム、及びセンサを備え、前記統合制御装置により前記複数の燃料電池システムの起動を制御する電力制御システムにおいて、
前記統合制御装置は、
前記センサが系統電源の停電を検知した場合に、当該センサから当該系統電源の停電を示す停電情報を受信し、
前記停電情報を受信した場合に、前記複数の燃料電池システムの夫々が稼働しているか否かを判断し、
前記複数の燃料電池システムの中に稼働している燃料電池システムが存在しない場合、稼働していない燃料電池システムの夫々から燃料電池システムに関する燃料電池情報を取得し、
前記稼働していない燃料電池システムの夫々の前記燃料電池情報を基に、前記稼働していない燃料電池システムの中から初めに起動する燃料電池システムを決定し、
蓄電池システムの放電電力により初めに起動すると決定された前記燃料電池システムを起動させる、
電力制御システム。
【発明の詳細な説明】
【技術分野】
【０００１】
本開示は、複数の燃料電池システムの起動制御に関する。
【背景技術】
【０００２】
例えば、複数の燃料電池システムが複数の需要家に分散して設置されている場合に、複数の燃料電池システムが互いに発電電力を融通しあって複数の需要家の夫々に設けられた電力負荷に電力供給を行う電力制御システムが知られている。
このような電力制御システムの一例として、例えば次のような燃料電池起動制御システムがある。
【０００３】
燃料電池起動制御システムでは、外部電力を用いて起動する非自立型燃料電池と、外部電力を用いずに起動することが可能な自立型発電装置とが備えられている。この燃料電池制御システムにおいて、外部電力の供給が停止した場合、非自立型燃料電池を停電させるとともに自立型発電装置を起動させ、自立型発電装置から非自立型燃料電池に電力供給を行わせて非自立型燃料電池を起動させる（例えば、特許文献１参照）。
【先行技術文献】
【特許文献】
【０００４】
【特許文献１】特開２０１５−１２６５６４号公報
【発明の概要】
【発明が解決しようとする課題】
【０００５】
しかしながら、上記の燃料電池起動制御システムでは、外部電力の供給停止時に、安定的な非自立型燃料電池の起動を行うことができるとは限らない。
そこで、本開示は複数の燃料電池システムが存在する場合における系統電源の停電時の燃料電池システムの起動制御の新たな仕組みを提供することを目的する。
【課題を解決するための手段】
【０００６】
上記目的を達成するために本開示の統合制御方法は、燃料電池システムを制御するコンピュータと通信して、複数の燃料電池システムの起動を制御する統合制御装置が実行する統合制御方法であって、系統電源の停電を検知するセンサから当該系統電源の停電を示す停電情報を受信し、前記停電情報を受信した場合に、前記複数の燃料電池システムの夫々が稼働しているか否かを判断し、前記複数の燃料電池システムの中に稼働している燃料電池システムが存在しない場合、稼働していない燃料電池システムの夫々から燃料電池システムに関する燃料電池情報を取得し、前記稼働していない燃料電池システムの夫々の前記燃料電池情報を基に、前記稼働していない燃料電池システムの中から初めに起動する燃料電池システムを決定し、蓄電池システムの放電電力により初めに起動すると決定された前記燃料電池システムを起動させる。
【発明の効果】
【０００７】
上記の統合制御方法によれば、複数の燃料電池システムが存在する場合における系統電源の停電時の燃料電池システムの起動制御の新たな仕組みを提供することができる。
【図面の簡単な説明】
【０００８】
【図１】本開示の一実施の形態に係る燃料電池システムの起動制御を行う電力制御システムの構成図。
【図２】図１の電力制御システムが行う処理動作の一例を示す動作シーケンス。
【図３】図１の電力制御システムが行う処理動作の一例を示す動作シーケンス。
【図４】図２及び図３の処理動作中の電力制御システムの状況例。
【図５】図２及び図３の処理動作中の電力制御システムの状況例。
【図６】図２及び図３の処理動作中の電力制御システムの状況例。
【図７】図２及び図３の処理動作中の電力制御システムの状況例。
【図８】図１の電力制御システムが行う処理動作の他の例を示す動作シーケンス。
【図９】図１の電力制御システムが行う処理動作の他の例を示す動作シーケンス。
【図１０】図８及び図９の処理動作中の電力制御システムの状況例。
【図１１】図８及び図９の処理動作中の電力制御システムの状況例。
【図１２】図８及び図９の処理動作中の電力制御システムの状況例。
【発明を実施するための形態】
【０００９】
≪本開示の燃料電池システムの起動制御の仕組みに至った経緯≫
複数の燃料電池システムが存在する場合に、商用電源等の系統電源の停電時における、複数の燃料電池システムの起動を制御する仕組みが従来から提案されている。
例えば、特許文献１には、次のような燃料電池起動制御システムが開示されている。
燃料電池起動制御システムでは、外部電力を用いて起動する二以上の非自立型燃料電池と、外部電力を用いずに起動することが可能な自立型発電装置とが備えられている。
【００１０】
この燃料電池システムにおいて、外部電力の供給が停止した場合、非自立型燃料電池を停止させるとともに自立型発電装置を起動させる。そして、予め定められた優先順位に従って、発電を開始した自立型発電装置を停止している非自立型燃料電池に順番に接続し、自立型発電装置から非自立型燃料電池に所定の起動電力を供給する。
優先順位の決め方として、非常時に早く使用したい機器が接続されている非自立型燃料電池から優先的に立ち上げるように決めることが記載されている。なお、それ以外の決め方については特に記載されていない。
【００１１】
また、各燃料電池システムに自立運転可能な蓄電池を内蔵し、自立型発電装置とすることも可能であるが、この場合、燃料電池システムの数だけ蓄電池を設ける必要がありコスト高となってしまうことが考えられる。
そこで、複数の燃料電池システムの中で最初に起動する燃料電池システムの決め方として、非常時に早く使用したい機器が接続されている燃料電池システムとする決め方以外に他の決め方がないかを検討した。
【００１２】
この結果、最初に起動する燃料電池システムの決定に燃料電池システムに関する情報（例えば残り蓄熱可能量）を利用することができるとの認識に至った。
以下、この認識の結果に基づく、本開示に係る燃料電池システムの起動制御の仕組みについて記載する。
≪実施の形態≫
以下、本開示の一実施の形態について図面を参照しつつ説明する。
【００１３】
〈システム構成〉
図１は、本開示の一実施の形態に係る燃料電池システムの起動制御を行う電力制御システムの構成図である。
電力制御システム１は、統合制御装置１００と、需要家Ａ、Ｂ，Ｃに分散設置された燃料蓄電池システム２００ａ，２００ｂ，２００ｃと、蓄電池システム３００と、スイッチ４００ａ，４００ｂ，４００ｃと、センサ５００と、系統電力配線網６１０と、蓄電池電力配線網６２０と、燃料電池電力配線網６３０とを備える。なお、図１は、簡略化のため、需要家Ａ，Ｂ，Ｃが保有する電力負荷（冷蔵庫、テレビ、照明機器など）を省略して図示している。
【００１４】
統合制御装置１００は、コントローラ１１０と、通信用のインターフェース（ＩＦ）１２０とを備える。コントローラ１１０は、系統電源５の停電時に、電力制御システム１内の燃料電池システム２００ａ，２００ｂ，２００ｃの起動制御を行う。インターフェース１２０は、コントローラ１１０から信号を受けて信号線網７００を介して外部機器（例えば、燃料電池システム２００ａ，２００ｂ，２００ｃ、センサ５００など）へ送信する。また、インターフェース１２０は、外部機器からの信号を信号線網７００を介して受信してコントローラ１１０へ出力する。
【００１５】
但し、この一実施の形態では、統合制御装置１００は、不図示のバッテリ又は電池を内蔵している。そして、統合制御装置１００は、系統電源５の停電時以外は系統電力配線網６１０の系統電力により動作し、系統電源５の停電時には内蔵しているバッテリ又は電池により動作する。
なお、統合制御装置１００が蓄電池システム３００の放電電力の供給を受けることができるように蓄電池システム３００に電気的に接続し、系統電源５の停電時に蓄電システム３００の放電電力により動作するようにしてもよい。この場合、統合制御装置１００がバッテリまたは電池を内蔵しなくてもよい。
【００１６】
燃料電池システム２００ａ，２００ｂ，２００ｃは、コントローラ２１０ａ，２１０ｂ，２１０ｃと、通信用のインターフェース（ＩＦ）２２０ａ，２２０ｂ，２２０ｃと、補機２３０ａ，２３０ｂ，２３０ｃと、発電ユニット２４０ａ，２４０ｂ，２４０ｃと、貯湯ユニット２５０ａ，２５０ｂ，２５０ｃとを備える。
コントローラ２１０ａ，２１０ｂ，２１０ｃは、系統電源５の停電時以外は、統合制御装置１００による制御を受けることなく、自ら、補機２３０ａ，２３０ｂ，２３０ｃの駆動制御を行って、発電ユニット２４０ａ，２４０ｂ，２４０ｃの発電制御や貯湯ユニット２５０ａ，２５０ｂ，２５０ｃの熱供給制御を行う。
【００１７】
また、コントローラ２１０ａ，２１０ｂ，２１０ｃは、系統電源５の停電時は、統合制御装置１００による制御を受けて、補機２３０ａ，２３０ｂ，２３０ｃの駆動制御を行って、発電ユニット２４０ａ，２４０ｂ，２４０ｃの発電制御や貯湯ユニット２５０ａ，２５０ｂ，２５０ｃの発熱制御を行う。
インターフェース２２０ａ，２２０ｂ，２２０ｃは、コントローラ２１０ａ，２１０ｂ，２１０ｃから信号を受けて信号線網７００を介して外部機器（例えば、統合制御装置１００など）へ送信する。また、インターフェース２２０ａ，２２０ｂ，２２０ｃは、外部機器からの信号を信号線網７００を介して受信してコントローラ２１０ａ，２１０ｂ，２１０ｃへ出力する。
【００１８】
補機２３０ａ，２３０ｂ，２３０ｃは、各種ブロアや各種ファン、各種センサである。発電ユニット２４０ａ，２４０ｂ，２４０ｃは、セルスタック等で構成され、発電する。貯湯ユニット２５０ａ，２５０ｂ，２５０ｃは、貯湯タンク等で構成され、熱供給を行う。なお、本開示の一実施の形態では、補機、発電ユニット、貯湯ユニットは一般的なものを利用することが可能であるため、その詳細は省略する。
【００１９】
但し、この一実施の形態では、燃料電池システム２００ａ，２００ｂ，２００ｃは、稼働して発電していない期間は、系統電源５の系統電力、蓄電池システム３００の放電電力、他の燃料電池システムの発電電力の少なくとも何れかの供給がない場合には、外部機器との通信や補機２３０ａ，２３０ｂ，２３０ｃの駆動を行うことができないものとする。
蓄電池システム３００は系統電力配線網６１０及び蓄電池電力配線網６２０に接続されている。蓄電池システム３００は系統電力配線網６１０から供給される系統電力により充電され、蓄電池システム３００の放電電力は蓄電池電力配線網６２０へ出力される。但し、蓄電池システム３００は図示しない蓄電池の充放電等を制御するコントローラを備える。
【００２０】
スイッチ４００ａ，４００ｂ，４００ｃは、燃料電池システム２００ａ，２００ｂ，２００ｃを系統電力配線網６１０、蓄電池電力配線網６２０、燃料電池電力配線網６３０の何れかに接続するためのスイッチである。スイッチ４００ａ，４００ｂ，４００ｃの接続先の制御は統合制御装置１００により行われる。
センサ５００は、系統電源５の停電検知用のセンサであり、系統電源５の停電を検知すると停電を示す停電情報を統合制御装置１００へ送信する。
【００２１】
但し、この一実施の形態では、センサ５００は、不図示のバッテリ又は電池を内蔵している。そして、センサ５００は、系統電源５の停電時以外は系統電力配線網６１０の系統電力により動作し、系統電源５の停電時には内蔵しているバッテリ又は電池により動作する。
なお、センサ５００が蓄電池システム３００の放電電力の供給を受けることができるように蓄電池システム３００に電気的に接続し、系統電源５の停電時に蓄電システム３００の放電電力により動作するようにしてもよい。この場合、センサ５００がバッテリまたは電池を内蔵しなくてもよい。
【００２２】
なお、センサ５００が系統電源５の復旧を検知した場合、復旧の検知を通知するための復旧情報を統合制御装置１００へ送信する。そして、統合制御装置１００は、復旧情報を受信した場合、スイッチ４００ａ，４００，４００ｃの接続先を、燃料電池システム２００ａ，２００ｂ，２００ｃが系統電力配線網６１０に電気的に接続されるように、切り替える。また、統合制御装置１００は、燃料電池システム２００ａ，２００ｂ，２００ｃの夫々に対して、自らのコントローラ２１０ａ，２１０ｂ，２１０ｃによって補機２３０ａ，２３０ｂ，２３０ｃの駆動制御等の各種ユニットの各種制御を行うように指示する。これによって、燃料電池システム２００ａ，２００ｂ，２００ｃのコントローラ２１０ａ，２１０ｂ，２１０ｃは、自ら、補機２３０ａ，２３０ｂ，２３０ｃの駆動制御等の各種ユニットの各種制御を行うようになる。
【００２３】
〈電力制御システムの動作シーケンス（１）〉
図２及び図３は図１の電力制御システム１が行う処理動作の一例を示す動作シーケンスである。但し、図２及び図３の動作シーケンスは、停電発生時、電力制御システム１内に稼働している燃料電池システムが存在しない場合を対象とする。なお、コントローラ１１０はインターフェース１２０を介して外部機器と通信し、コントローラ２１０ａ，２１０ｂ，２１０ｃはインターフェース２２０ａ，２２０ｂ，２２０ｃを介して通信するが、動作シーケンスの記載を簡略化するため、インターフェースを介しての記載を省略する。
【００２４】
系統電源５が停電し、センサ５００が系統電源５の停電を検知して（ステップＳ１０１）、系統電源５が停電していることを示す停電情報を統合制御装置１００へ送信する。統合制御装置１００のコントローラ１１０は停電情報を受信する（ステップＳ１０２）。
このとき、本動作シーケンスでは、電力制御システム１は図４の状況にある。つまり、燃料電池システム２００ａ，２００ｂ，２００ｃは、稼働しておらず、自らの発電電力がなく外部電力の供給を受けていない状態（停止状態）にある（ステップＳ１０３ａ，Ｓ１０３ｂ，Ｓ１０３ｃ）。なお、スイッチ４００ａ，４００ｂ，４００ｃでは、接点Ａ１，Ｂ１，Ｃ１と接点Ａ２，Ｂ２，Ｃ２とが電気的に接続されている。
【００２５】
但し、本動作シーケンスでは、燃料電池システムが停止状態にある場合、動作電力がないため、外部機器との通信を行うことができない。
統合制御装置１００のコントローラ１１０は電力制御システム１内の燃料電池システム２００ａ，２００ｂ，２００ｃが稼働しているかいないかを判断する処理に移行する。
統合制御装置１００のコントローラ１１０は、電力制御システム１内の燃料電池システム２００ａ，２００ｂ，２００ｃの稼働状況の通知を要求する要求信号を生成して送信する（ステップＳ１０４ａ，Ｓ１０４ｂ，Ｓ１０４ｃ）。なお、本動作シーケンスでは、燃料電池システム２００ａ，２００ｂ，２００ｃは、停止状態にあるので、この要求信号に対する応答を行うことができない。
【００２６】
このとき、統合制御装置１００のコントローラ１１０は、予め定められた期間内に、電力制御システム１内の燃料電池システム２００ａ，２００ｂ，２００ｃの夫々から要求信号に対する応答信号を受信しない。これにより、コントローラ１１０は、電力制御システム１内の燃料電池システム２００ａ，２００ｂ，２００ｃの夫々が稼働していないと判断する（ステップＳ１０５）。
【００２７】
統合制御装置１００のコントローラ１１０は、電力制御システム１内に稼働している燃料電池システムが存在しないため、スイッチ４００ａ，４００ｂ，４００ｃに対して、燃料電池システム２００ａ，２００ｂ，２００ｃを蓄電池電力配線網６２０に接続するように接続指示信号を送信する（ステップＳ１０６ａ，Ｓ１０６ｂ，Ｓ１０６ｃ）。この接続指示信号を受けて、スイッチ４００ａ，４００ｂ，４００ｃでは、接点Ａ１，Ｂ１，Ｃ１と接点Ａ３，Ｂ３，Ｃ３とが電気的に接続される。これにより、燃料電池システム２００ａ，２００ｂ，２００ｃが蓄電池電力配線網６２０に電気的に接続される（ステップＳ１０７ａ，Ｓ１０７ｂ，Ｓ１０７ｃ）。
【００２８】
これにより、蓄電池システム３００の放電電力が燃料電池システム２００ａ，２００ｂ，２００ｃに供給される状態になり（ステップＳ１０８ａ，Ｓ１０８ｂ，Ｓ１０８ｃ）、電力制御システム１内の停止状態であった燃料電池システム２００ａ，２００ｂ，２００ｃは待機状態になる（ステップＳ１０９ａ，Ｓ１０９ｂ，Ｓ１０９ｃ）。なお、ここで、本動作シーケンスにおける、燃料電池システムの待機状態とは、稼働して発電しておらず、自らの発電電力はないが、外部電力の供給を受けている状態である。この待機状態では、燃料電池システム２００ａ，２００ｂ，２００ｃは、外部電力により外部機器との通信を行うことができ、また、補機２３０ａ，２３０ｂ，２３０ｃを駆動して起動することができる。
【００２９】
このとき、本動作シーケンスでは、電力制御システム１は図５の状況にある。つまり、燃料電池システム２００ａ，２００ｂ，２００ｃは待機状態にある。なお、スイッチ４００ａ，４００ｂ，４００ｃでは、接点Ａ１，Ｂ１，Ｃ１と接点Ａ３，Ｂ３，Ｃ３とが電気的に接続されている。
統合制御装置１００のコントローラ１１０は、電力制御システム１内の稼働していない燃料電池システム２００ａ，２００，２００ｃに対して、その燃料電池システムに関する情報（以下、適宜、「燃料電池情報」と記載する。）の通知を要求する要求信号を生成して送信する。そして、燃料電池システム２００ａ，２００ｂ，２００ｃの夫々のコントローラ２１０ａ，２１０ｂ，２１０ｃはこの要求信号を受信する（ステップＳ１１０ａ，Ｓ１１０ｂ，Ｓ１１０ｃ）。
【００３０】
燃料電池システム２００ａ，２００ｂ，２００ｃの夫々のコントローラ２１０ａ，２１０ｂ，２１０ｃは、この要求信号の応答として、燃料電池に関する情報（燃料電池情報）を通知する応答信号を生成して統合制御装置１００へ送信する。そして、統合制御装置１００のコントローラ１１０は、燃料電池システム２００ａ，２００ｂ，２００ｃの夫々から燃料電池情報を通知する応答信号を受信する（ステップＳ１１１ａ，Ｓ１１１ｂ，Ｓ１１１ｃ）。
【００３１】
統合制御装置１００のコントローラ１１０は、受信した夫々の燃料電池情報を基に、燃料電池システム２００ａ，２００ｂ，２００ｃのうち最初に起動する燃料電池システムを決定する（ステップＳ１１２）。本動作シーケンスでは、燃料電池システム２００ａを最初に起動する燃料電池システムに決定する。
以下、最初に起動する燃料電池システムの決定の一具体例について記載する。なお、この具体例の説明では、記載の簡略化を図るために、稼働していない燃料電池システムを燃料電池システムＡ，Ｂ，Ｃと記載する。
【００３２】
この一具体例では、燃料電池システムに関する情報（燃料電池情報）を、燃料電池システムＡ，Ｂ，Ｃが備える貯湯タンク（不図示）の残り蓄熱可能量を示す情報（以下、適宜、「残り蓄熱可能量情報」と記載する。）とする。
統合制御装置１００から燃料電池システムＡ，Ｂ，Ｃへ残り蓄熱可能量情報の通知を要求する要求信号が送信される。この要求信号の応答として、燃料電池システムＡ，Ｂ，Ｃから統合制御装置１００へ残り蓄熱可能量情報を通知する応答信号が送信される。
【００３３】
統合制御装置１００は、燃料電池システムＡ，Ｂ，Ｃの残り蓄熱可能量情報に基づいて、残り蓄熱可能量が少なくも一部の他の燃料電池システムの残り蓄熱可能量より大きい燃料電池システムを、最初に起動する燃料電池システムとして決定する。
なお、最初に起動する燃料電池システムとして決定される燃料電池システムは、例えば、次のようなものである。但し、次のようなものに限定されない。
【００３４】
稼働していない燃料電池システムＡ，Ｂ，Ｃの中で、残り蓄熱可能量が最大の燃料電池システムである。
また、稼働していない燃料電池システムＡ，Ｂ，Ｃの中で、残り蓄熱可能量が大きいＮ（Ｎは２以上の整数で稼働していない燃料電池システムの数より小さい値）個の燃料電池システムの何れかの燃料電池システムである。
【００３５】
なお、貯湯タンクの残り蓄熱可能量は、例えば、次のようにして求める。但し、貯湯タンクの残り蓄熱可能量を求めることができれば、その方法は特に問わない。
貯湯タンク内の蓄熱媒体の温度を複数のセンサで計測し、その貯湯タンク内の蓄熱媒体の温度分布を調べる。そして、貯湯タンク内の蓄熱媒体の温度分布から蓄熱媒体の平均温度を求める。そして、貯蓄タンクの残り蓄熱可能量＝（満畜時の蓄熱媒体の温度−現在の蓄熱媒体の平均温度）×蓄熱媒体の比熱×貯蓄タンクの有効容量により、貯蓄タンクの残り蓄熱可能量を算出する。
【００３６】
図３に戻って、統合制御装置１００のコントローラ１１０は、スイッチ４００ｂ，４００ｃに対して、燃料電池システム２００ｂ，２００ｃを燃料電池電力配線網６３０に接続するように接続指示信号を送信する（ステップＳ１１３ｂ，Ｓ１１３ｃ）。この接続指示信号を受けて、スイッチ４００ｂ，４００ｃでは、接点Ｂ１，Ｃ１と接点Ｂ４，Ｃ４とが電気的に接続される。これにより、燃料電池システム２００ｂ，２００ｃが燃料電池電力配線網６３０に電気的に接続される（ステップＳ１１４ｂ，Ｓ１１４ｃ）。
【００３７】
これにより、燃料電池システム２００ｂ，２００ｃには蓄電池システム３００から放電電力が供給されなくなり、停止状態（稼働しておらず、自らの発電電力がなく外部電力の供給を受けていない状態）になる（ステップＳ１１５ｂ，Ｓ１１５ｃ）。
このとき、本動作シーケンスでは、電力制御システム１は図６の状況にある。つまり、燃料電池システム２００ａは待機状態にあり、燃料電池システム２００ｂ，２００ｃは停止状態にある。なお、スイッチ４００ａでは接点Ａ１と接点Ａ３とが電気的に接続されており、スイッチ４００ｂ，４００ｃでは接点Ｂ１，Ｃ１と接点Ｂ４，Ｃ４とが電気的に接続されている。
【００３８】
統合制御装置１００のコントローラ１１０は、燃料電池システム２００ａに対して起動を指示する起動指示信号を送信する。そして、燃料電池システム２００ａのコントローラ２１０ａはこの起動指示信号を受信する（ステップＳ１１６ａ）。
燃料電池システム２００ａのコントローラ２１０ａは、蓄電池システム３００の放電電力により、補機２３０ａを駆動し、これによって発電ユニット２４０ａ及び貯湯ユニット２５０ａを起動して稼働状態になる（ステップＳ１１７ａ）。
【００３９】
これにより、燃料電池システム２００ａの発電電力が燃料電池システム２００ｂ，２００ｃに供給される状態になり（ステップＳ１１８ｂ，Ｓ１１８ｃ）、燃料電池システム２００ｂ，２００ｃは待機状態になる（ステップＳ１１９ｂ，Ｓ１１９ｃ）。
このとき、本動作シーケンスでは、電力制御システム１は図７の状況にある。つまり、燃料電池システム２００ａは稼働状態にあり、燃料電池システム２００ｂ，２００ｃは待機状態にある。なお、スイッチ４００ａでは、接点Ａ１と接点Ａ３とが電気的に接続されており、スイッチ４００ｂ，４００ｃでは接点Ｂ１，Ｃ１と接点Ｂ４，Ｃ４とが電気的に接続されている。
【００４０】
統合制御装置１００のコントローラ１１０は、燃料電池システム２００ｂ，２００ｃに対して起動を指示する起動指示信号を送信する。そして、燃料電池システム２００ｂ，２００ｃのコントローラ２１０ｂ，２１０ｃはこの起動指示信号を受信する（ステップＳ１２０ｂ，Ｓ１２０ｃ）。
燃料電池システム２００ｂ，２００ｃのコントローラ２１０ｂ，２１０ｃは、燃料電池システム２００ａの放電電力により、補機２３０ｂ，２３０ｃを駆動し、これによって発電ユニット２４０ｂ，２４０ｃ及び貯湯ユニット２５０ｂ，２５０ｃを起動して稼働中になる（ステップＳ１２１ｂ，Ｓ１２１ｃ）。
【００４１】
〈電力制御システムの動作シーケンス（２）〉
図８及び図９は図１の電力制御システム１が行う処理動作の他の例を示す動作シーケンスである。但し、図８及び図９の動作シーケンスは、停電発生時、電力制御システム１内に稼働している燃料電池システムが存在する場合を対象とする。なお、コントローラ１１０はインターフェース１２０を介して外部機器と通信し、コントローラ２１０ａ，２１０ｂ，２１０ｃはインターフェース２２０ａ，２２０ｂ，２２０ｃを介して通信するが、動作シーケンスの記載を簡略化するため、インターフェースを介しての記載を省略する。
【００４２】
系統電源５が停電し、センサ５００が系統電源５の停電を検知して（ステップＳ２０１）、系統電源５が停電していることを示す停電情報を統合制御装置１００へ送信する。統合制御装置１００のコントローラ１１０は停電情報を受信する（ステップＳ２０２）。
このとき、本動作シーケンスでは、電力制御システム１が図１０の状況にある。つまり、燃料電池システム２００ａは稼働して発電している状態（稼働状態）にある（ステップＳ２０３ａ）。燃料電池システム２００ｂ，２００ｃは、稼働しておらず、自らの発電電力がなく、外部電力の供給を受けていない状態（停止状態）にある（ステップＳ２０３ｂ，Ｓ２０３ｃ）。なお、スイッチ４００ａ，４００ｂ，４００ｃでは、接点Ａ１，Ｂ１，Ｃ１と接点Ａ２，Ｂ２，Ｃ２とが電気的に接続されている。
【００４３】
但し、本動作シーケンスでは、燃料電池システムは、稼働状態及び稼働状態にある場合は動作電力があるので外部機器との通信を行うことができ、停止状態にある場合は動作電力がないので外部機器との通信を行うことができない。
統合制御装置１００のコントローラ１１０は電力制御システム１内の燃料電池システム２００ａ，２００ｂ，２００ｃが稼働しているかいないかを判断する処理に移行する。
【００４４】
統合制御装置１００のコントローラ１１０は、電力制御システム１内の燃料電池システム２００ａ，２００ｂ，２００ｃの稼働状況の通知を要求する要求信号を生成して送信する（ステップＳ２０４ａ，２０４ｂ，２０４ｃ）。なお、本動作シーケンスでは、燃料電池システム２００ａは稼働状態にあるのでこの要求信号に対する応答を行うことができ、燃料電池システム２００ｂ，２００ｃは停止状態にあるのでこの要求信号に対する応答を行うことができない。
【００４５】
そして、燃料電池システム２００ａのコントローラ２１０ａは、受信した稼働状況の通知を要求する要求信号の応答として、燃料電池システム２００ａが稼働していることを通知する応答信号を生成して統合制御装置１００へ送信する（ステップＳ２０５ａ）。
そして、統合制御装置１００のコントローラ１１０は、予め定められた期間内に、電力制御システム１内の燃料電池システム２００ａから稼働していることを通知する応答信号を受信する。そして、この応答信号を基に燃料電池システム２００ａが稼働していると判断する。一方、予め定められた期間内に、電力制御システム１内の燃料電池システム２００ｂ，２００ｃから要求信号に対する応答信号を受信しない。これにより、燃料電池システム２００ｂ，２００ｃの夫々が稼働していないと判断する（ステップＳ２０６）。
【００４６】
燃料電池システム２００ａが稼働しているため、統合制御装置１００のコントローラ１１０は、スイッチ４００ｂ，４００ｃに対して、燃料電池システム２００ｂ，２００ｃを燃料電池電力配線網６３０に接続するように接続指示信号を送信する（ステップＳ２０７ｂ，Ｓ２０７ｃ）。この接続指示信号を受けて、スイッチ４００ｂ，４００ｃでは、接点Ｂ１，Ｃ１と接点Ｂ４，Ｃ４とが電気的に接続される。これにより、燃料電池システム２００ｂ，２００ｃが燃料電池電力配線網６３０に電気的に接続される（ステップＳ２０８ｂ，Ｓ２０８ｃ）。
【００４７】
これにより、燃料電池システム２００ａの発電電力が燃料電池システム２００ｂ，２００ｃに供給される状態になり（ステップＳ２０９ｂ，Ｓ２０９ｃ）、電力制御システム１内の停止状態であって燃料電池システム２００ｂ，２００ｃは待機状態になる（ステップＳ２１０ｂ，Ｓ２１０ｃ）。
このとき、本動作シーケンスでは、電力制御システム１は図１１の状況にある。つまり、燃料電池システム２００ａは稼働状態にあり、燃料電池システム２００ｂ，２００ｃは待機状態にある。また、スイッチ４００ａでは接点Ａ１と接点Ａ２とが電気的に接続されており、スイッチ４００ｂ，４００ｃでは接点Ｂ１，Ｃ１と接点Ｂ４，Ｃ４とが電気的に接続されている。
【００４８】
統合制御装置１００のコントローラ１１０は、電力制御システム１内の稼働していない燃料電池システム２００ｂ，２００ｃに対して、その燃料電池システムに関する情報（燃料電池情報）の通知を要求する要求信号を生成して送信する。そして、燃料電池システム２００ｂ，２００ｃの夫々のコントローラ２１０ｂ，２１０ｃはこの要求信号を受信する（ステップＳ２１１ｂ，Ｓ２１１ｃ）。
【００４９】
燃料電池システム２００ｂ，２００ｃの夫々のコントローラ２１０ｂ，２１０ｃは、この要求信号の応答として、燃料電池に関する情報（燃料電池情報）を通知する応答信号を生成して統合制御装置１００へ送信する。そして、統合制御装置１００のコントローラ１１０は、燃料電池システム２００ｂ，２００ｃの夫々から燃料電池情報を通知する応答信号を受信する（ステップＳ２１２ｂ，Ｓ２１２ｃ）。
【００５０】
統合制御装置１００のコントローラ１１０は、受信した夫々の燃料電池情報を基に、燃料電池システム２００ｂ，２００ｃのうち最初に起動する燃料電池システムを決定する（ステップＳ２１３）。本動作シーケンスでは、燃料電池システム２００ｂを最初に起動する燃料電池システムに決定する。
なお、本動作シーケンスにおいて、燃料電池情報及びその燃料電池情報を用いた最初に起動する燃料電池システムの決定の仕方として、図２及び図３の動作シーケンスで説明した内容を利用することができる。
【００５１】
統合制御装置１００のコントローラ１１０は、燃料電池システム２００ｂに対して起動を指示する起動指示信号を送信する。そして、燃料電池システム２００ｂのコントローラ２１０ｂはこの起動指示信号を受信する（ステップＳ２１４ｂ）。
燃料電池システム２００ｂのコントローラ２１０ｂは、燃料電池システム２００ａの放電電力により、補機２３０ｂを駆動し、これによって発電ユニット２４０ｂ及び貯湯ユニット２５０ｂを起動して稼働状態になる（ステップＳ２１５ｂ）。
【００５２】
これにより、燃料電池システム２００ｂの発電電力が燃料電池システム２００ｃに供給される状態になる（ステップＳ２１６ｃ）。なお、燃料電池システム２００ｃには、燃料電池システム２００ｃの発電電力とともに、既に稼働中であった燃料電池システム２００ａの発電電力が供給される状態になっている。
このとき、本動作シーケンスでは、電力制御システム１は図１２の状況にある。つまり、燃料電池システム２００ａ，２００ｂは稼働状態にあり、燃料電池システム２００ｃは待機状態にある。なお、スイッチ４００ａでは接点Ａ１と接点Ａ２とが電気的に接続されており、スイッチ４００ｂ，４００ｃでは接点Ｂ１，Ｃ１と接点Ｂ４，Ｃ４とが電気的に接続されている。
【００５３】
統合制御装置１００のコントローラ１１０は、燃料電池システム２００ｃに対して起動を指示する起動指示信号を送信する。そして、燃料電池システム２００ｃのコントローラ２１０ｃはこの起動指示信号を受信する（ステップＳ２１７ｃ）。
燃料電池システム２００ｃのコントローラ２１０ｃは、燃料電池システム２００ａ，２００ｂの放電電力により、補機２３０ｃを駆動し、これによって発電ユニット２４０ｃ及び貯湯ユニット２５０ｃを起動して稼働中になる（ステップＳ２１８ｃ）。
【００５４】
≪補足（その１）≫
本発明は上記の実施の形態で説明した内容に限定されず、本発明の目的とそれに関連又は付随する目的を達成するためのいかなる形態においても実施可能であり、例えば、以下であってもよい。
（１）  上記実施の形態では、燃料電池システムが３台の場合を例に挙げて説明したが、上記実施の形態または補足（その１）などで説明する燃料電池システムの起動制御は燃料電池システムが２台以上ある場合に適用可能である。
【００５５】
（２）  本開示は、上記実施の形態で説明した燃料電池情報及びその燃料電池情報を用いた最初に起動する燃料電池システムの決定の仕方に限定されるものではなく、例えば、次のようなものであってもよい。なお、停電時に、電力制御システム１内に稼働している燃料電池システムが存在しない場合（図２及び図３の動作シーケンスの場合）、燃料電池システムに稼働している燃料電池システムが存在する場合（図８及び図９の動作シーケンスの場合）の双方に使用できるものである。
【００５６】
なお、記載の簡略化のため、電力制御システム１内に稼働していない燃料電池システムとして３台の燃料電池システムＡ，Ｂ，Ｃがあるものとして記載する。
（２−１）  燃料電池システムに関する情報（燃料電池情報）を、燃料電池システムが備える貯湯タンク（不図示）の残り蓄熱可能量を示す情報（残り蓄熱可能量情報）とする。
【００５７】
統合制御装置１００から燃料電池システムＡ，Ｂ，Ｃへ残り蓄熱可能量情報の通知を要求する要求信号が送信される。この要求信号の応答として、燃料電池システムＡ，Ｂ，Ｃから統合制御装置１００へ残り蓄熱可能量情報を通知する応答信号が送信される。
統合制御装置１００は、燃料電池システムＡ，Ｂ，Ｃの夫々について、残り蓄熱可能量情報が示す残り蓄熱可能量から稼働可能時間を算出する。そして、統合制御装置１００は、燃料電池システムＡ，Ｂ，Ｃの稼働可能時間に基づいて、稼働可能時間が少なくとも一部の他の燃料電池システムの稼働可能時間より長い燃料電池システムを、最初に起動する燃料電池システムとして決定する。
【００５８】
なお、最初に起動する燃料電池システムとして決定される燃料電池システムは、例えば、次のようなものである。但し、次のようなものに限定されない。
稼働していない燃料電池システムＡ，Ｂ，Ｃの中で、稼働可能時間が最大の燃料電池システムである。
また、稼働していない燃料電池システムＡ，Ｂ，Ｃの中で、稼働可能時間が長いＮ（Ｎは２以上の整数で稼働していない燃料電池システムの数より小さい値）個の燃料電池システムの何れかである。
【００５９】
なお、燃料電池システム側で貯湯タンクの残り蓄熱可能量から稼働可能時間を計算する。そして、計算した稼働可能時間を示す情報を燃料電池情報として燃料電池システムから統合制御装置に送信する。そして、統合制御装置は受信した稼働可能時間を基に上述したようにして最初に稼働する燃料電池システムを決定するようにしてもよい。
なお、燃料電池システムの稼働可能時間は、例えば、次のようにして求める。但し、燃料電池システムの稼働可能時間を求めることができれば、その方法は特に問わない。
【００６０】
稼働可能時間＝残り蓄熱可能量÷定格出力で稼働した場合の単位時間当たりの蓄熱量により、稼働可能時間を算出する。なお、稼働可能時間の算出に当たって、定格出力になるまでの出力変化も考慮にいれるようにしてもよい。
（２−２）  燃料電池システムに関する情報（燃料電池情報）を、燃料電池システムの起動に要する電力量（起動電力量）を示す情報（起動電力量情報）とする。
【００６１】
統合制御装置１００から燃料電池システムＡ，Ｂ，Ｃへ起動電力量情報の通知を要求する要求信号が送信される。この要求信号の応答として、燃料電池システムＡ，Ｂ，Ｃから統合制御装置１００へ起動電力量情報を通知する応答信号が送信される。
統合制御装置１００は、燃料電池システムＡ，Ｂ，Ｃの起動電力情報に基づいて、起動電力量が少なくとも一部の他の燃料電池システムの起動電力量より小さい燃料電池システムを、最初に起動する燃料電池システムとして決定する。
【００６２】
なお、最初に起動する燃料電池システムとして決定される燃料電池システムは、例えば、次のようなものである。但し、次のようなものに限定されない。
稼働していない燃料電池システムＡ，Ｂ，Ｃの中で、起動電力量が最小の燃料電池システムである。
また、稼働していない燃料電池システムＡ，Ｂ，Ｃの中で、起動電力量が小さいＮ（Ｎは２以上の整数で稼働していない燃料電池システムの数より小さい値）個の燃料電池システムの何れかの燃料電池システムである。
【００６３】
なお、燃料電池システムの起動電力量は、例えば、起動時に動作するコントローラや補機内のユニットが起動を開始しようとしてから発電ユニットが発電するまでに要する電力量の総和により求める。但し、燃料電池システムの起動電力量を求めることができれば、その方法は特に問わない。
燃料電池システムＡ，Ｂ，Ｃの定格出力が異なり（例えば、定格出力７００Ｗの燃料電池システムと定格出力５ＫＷの燃料電池システムが混在する場合）、起動電力量が異なる場合、本決定方法が有用である。
【００６４】
（２−３）  燃料電池システムに関する情報（燃料電池情報）を、燃料電池システムの起動に要する電力量（起動電力量情報）及び定格出力を示す情報（定格出力情報）とする。
統合制御装置１００から燃料電池システムＡ，Ｂ，Ｃへ起動電力量情報及び定格出力情報の通知を要求する要求信号が送信される。この要求信号の応答として、燃料電池システムＡ，Ｂ，Ｃから統合制御装置１００へ起動電力量情報及び定格出力情報を通知する応答信号が送信される。
【００６５】
また、統合制御装置１００のコントローラ１１０と蓄電池システム３００の不図示のコントローラとが通信を行って、統合制御装置１００のコントローラ１１０は蓄電池システム３００の不図示のコントローラから蓄電池システム３００の残存電力量を示す残存電力量情報を受け取る。具体的には、統合制御装置１００から蓄電池システム３００へ蓄電池システム３００の残存電力量を示す残存電力量情報の通知を要求する要求信号が送信される。この要求信号の応答として、蓄電池システム３００から統合制御装置１００へ残存電力量を示す残存電力情報を通知する応答信号が送信される。
【００６６】
統合制御装置１００は、燃料電池システムＡ，Ｂ，Ｃの起動電力量情報及び定格出力情報と、蓄電池システム３００の残存電療量を基に、起動電力が残存電力量以下である稼働していない燃料電池システムの中で、定格出力が少なくとも一部の他の燃料電池システムの定格出力量より大きい燃料電池システムを、最初に起動する燃料電池システムとして決定する。
【００６７】
なお、最初に起動する燃料電池システムとして決定される燃料電池システムは、例えば、次のようなものである。但し、次のようなものに限定されない。
稼働していない燃料電池システムＡ，Ｂ，Ｃにおいて、起動電力量が残量電力量以下の燃料電池システムの中で、定格出力が最大の燃料電池システムである。
また、稼働していない燃料電池システムＡ，Ｂ，Ｃにおいて、起動電力量が残量電力量以下の燃料電池システムの中で、定格出力が大きいＮ（Ｎは２以上の整数で稼働していない燃料電池システムの数より小さい値）個の燃料電池システムの何れかの燃料電池システムである。
【００６８】
（２−４）  前記燃料電池システムに関する情報（燃料電池情報）は、燃料電池システムの温度を示す情報（温度情報）である。この燃料電池システムの温度は、例えば、発電ユニット内のセルスタックの温度の平均温度である。
統合制御装置１００から燃料電池システムＡ，Ｂ，Ｃへ温度情報の通知を要求する要求信号が送信される。この要求信号の応答として、燃料電池システムＡ，Ｂ，Ｃから統合制御装置１００へ温度情報を通知する応答信号が送信される。
【００６９】
統合制御装置１００は、燃料電池システムＡ，Ｂ，Ｃの夫々の温度情報に基づいて、温度が所定温度未満の燃料電池システムの中で、温度が少なくも一部の他の燃料電池システムの温度より高い燃料電池システムを、最初に起動する燃料電池システムとして決定する。ここで、所定温度は、燃料電池システムが起動できる温度の上限を基に定められる上限以下の温度である。
【００７０】
なお、最初に起動する燃料電池システムとして決定される燃料電池システムは、例えば、次のようなものである。但し、次のようなものに限定されない。
稼働していない燃料電池システムＡ，Ｂ，Ｃにおいて、温度が所定温度以下の燃料電池システムの中で、温度が最大の燃料電池システムである。
また、稼働していない燃料電池システムＡ，Ｂ，Ｃにおいて、温度が所定温度以下の燃料電池システムの中で、温度大きいＮ（Ｎは２以上の整数で稼働していない燃料電池システムの数より小さい値）個の燃料電池システムの何れかの燃料電池システムである。
【００７１】
ここで、所定温度とは、例えば、燃料電池システムの再稼動可能温度である。この場合、再稼動可能温度未満の燃料電池システムの中で、温度が比較的高い燃料電池システムが決定されるため、再稼動に必要なエネルギーが少なく済み、全体として高効率な制御が可能となる。
（３）  上記実施の形態では、燃料電池システムは発電ユニットが発電していない期間は外部電力（系統電力、蓄電池システムの放電電力、他の燃料電池システムの発電電力の何れか）が供給されていなければ、統合制御装置と通信を行うことができないとして説明したが、これに限定されるものではない。
【００７２】
例えば、燃料電池システムは発電ユニットが発電していない期間でも外部電力の供給を受けることなく例えば内蔵の電池又はバッテリにより統合制御装置１００と通信を行うことができる燃料電池システムであってもよい。
この場合、統合制御装置１００は燃料電池システム２００ａ，２００ｂ，２００ｃから稼働状況の要求信号に対する稼働しているか否かを通知する応答信号を受信することができる。そして、統合制御装置１００は受信した応答信号を基に燃料電池システム２００ａ，２００ｂ，２００ｃが稼働しているか否かを判断する。
【００７３】
なお、この場合、図２及び図３の動作シーケンスでは、各燃料電池システムが稼働していないと判断した（ステップＳ１０５）後に、スイッチ４００ａ，４００ｂ，４００ｃの切り替え等の処理を行うことなく、ステップＳ１１０ａ，Ｓ１１０ｂ，Ｓ１１０ｃの要求信号の送信に移行するようにしてもよい。そして、最初に起動する燃料電池システムを燃料電池システム２００ａと決定した（ステップＳ１１２）後に、燃料電池システム２００ａを蓄電池電力配線網６２０に接続するようにスイッチ４００ａの切り替え制御を行い、燃料電池システム２００ｂ，２００ｃを燃料電池電力配線網６３０に接続するようにスイッチ４００ｂ、４００ｃの切り替え制御を行うようにしてもよい。なお、燃料電池システム２００ａ，２００ｂ，２００ｃはステップＳ１０３ａ，１０３ｂ，１０３ｃ，Ｓ１１５ｂ，Ｓ１１５ｃでは停止状態ではなく、待機状態にある。
【００７４】
また、図８及び図９の動作シーケンスでは、燃料電池システム２００ａのみが稼働していると判断した（ステップＳ２０６）後に、スイッチ４００ｂ，４００ｃの切替等の処理を行うことなく、ステップＳ２１１ｂ，Ｓ２１１ｃの要求信号の送信に移行するようにしてもよい。そして、最初に起動する燃料電池システムを燃料電池システム２００ｂと決定した（ステップＳ１１２）後に、燃料電池システム２００ｂ，２００ｃを燃料電池電力配線網６３０に接続するようにスイッチ４００ｂ、４００ｃの切り替え制御を行うようにしてもよい。なお、燃料電池システム２００ａ，２００ｂ，２００ｃはステップＳ２０３ｂ，２０３ｃでは停止状態ではなく、待機状態にある。
【００７５】
（４）  図８及び図９の動作シーケンスにおいて、停電情報を受信した場合に稼働している燃料電池システムの定格出力の総和が複数の需要家に備えられている停電時優先負荷の需要電力の総和を超えている場合、新たに燃料電池システムを起動しないようにしてもよい。また、稼働している燃料電池システムの発電量の総和が需要電力の総和になるように、稼働している燃料電池システムの稼働を停止させたり又は発電量を低下させたりしてもよい。なお、統合制御装置１００は、燃料電池システム毎の定格出力を予め取得しておくようにしてもよく、また、必要に応じて燃料電池システムから取得するようにしてもよい。また、統合制御装置１００は、需要家毎の停電時優先負荷の需要電力を予め取得しておくようにしてもよく、また、必要に応じて燃料電池システムから、需要家が備える機器から取得するようにしてもよい。
【００７６】
また、図３及び図４の動作シーケンスにおいて、停電情報を受信した場合に最初に起動した燃料電池システムの発電量を、複数の需要家に備えられている停電時優先負荷の需要電力の総和になるように調整してもよい。
さらに、図３及び図４の動作シーケンス、及び、図８及び図９の動作シーケンスでは、電力制御装置１内の燃料電池システム２００ａ，２００ｂ，２００ｃの全てを起動して稼働状態になるようにしているが、次のようにしてもよい。電力制御装置１内の燃料電池システムを順番に稼働していき、稼働している燃料電池システムの定格出力の総和が複数の需要家に備えられている停電時優先負荷の需要電力を超えている場合、新たに燃料電池システムを起動せず、稼働している燃料電池システムの発電量の総和が需要電力の総和になるように調整してもよい。
【００７７】
（５）  上記実施の形態では、蓄電池システム３００が燃料電池システム２００ａ，２００ｂ，２００ｃの外部に設けられているが、燃料電池システム２００ａ，２００ｂ，２００ｃの少なくとも１つの中に設けられるようにしてもよい。
（６）  上記の実施の形態において、燃料電池システム２００ａ，２００ｂ，２００ｃと蓄電池システム３００とを同じ場所（例えば同じマンションや集合住宅など）に設置するようにしてもよく、異なる場所に設置するようにしてもよい。
【００７８】
（７）上記実施の形態または補足（その１）などで説明した統合制御装置のコントローラは、集積回路であるＬＳＩ（Ｌａｒｇｅ  Ｓｃａｌｅ  Ｉｎｔｅｇｒａｔｉｏｎ）で実現してもよい。このとき、各構成要素は、個別に１チップ化されてもよいし、一部もしくは全てを含むように１チップ化されてもよい。また、ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限るものではなく、専用回路又は汎用プロセサで実現してもよい。ＦＰＧＡ（Ｆｉｅｌｄ  Ｐｒｏｇｒａｍｍａｂｌｅ  Ｇａｔｅ  Ａｒｒａｙ）、またはＬＳＩ内部の回路セルの接続、または設定を再構成可能なリコンフィギュラブル・プロセサを利用してもよい。さらに、半導体技術の進歩又は派生する別技術によりＬＳＩに置き換わる集積回路化の技術が登場すれば、当然その技術を用いて機能ブロックの集積化を行ってもよい。
【００７９】
（８）上記の実施の形態または補足（その１）などで説明した統合制御装置のコントローラの動作の手順の少なくとも一部をプログラムに記載し、例えばＣＰＵ（Ｃｅｎｔｒａｌ  Ｐｒｏｃｅｓｓｉｎｇ  Ｕｎｉｔ）がメモリに記憶された当該プログラムを読み出して実行するようにしてもよい。また、上記プログラムを記録媒体に保存して頒布等するようにしてもよい。
【００８０】
（９）実施の形態や補足（その１）において説明した内容を適宜組み合わせるようにしてもよい。
≪補足（その２）≫
各実施の形態及び補足（その１）に係る統合制御方法、統合制御装置、プログラム及び電力制御システムについてまとめる。
【００８１】
（１）本開示の第１の態様に係る統合制御方法は、燃料電池システムを制御するコンピュータと通信して、複数の燃料電池システムの起動を制御する統合制御装置が実行する統合制御方法であって、系統電源の停電を検知するセンサから当該系統電源の停電を示す停電情報を受信し、前記停電情報を受信した場合に、前記複数の燃料電池システムの夫々が稼働しているか否かを判断し、前記複数の燃料電池システムの中に稼働している燃料電池システムが存在しない場合、稼働していない燃料電池システムの夫々から燃料電池システムに関する燃料電池情報を取得し、前記稼働していない燃料電池システムの夫々の前記燃料電池情報を基に、前記稼働していない燃料電池システムの中から初めに起動する燃料電池システムを決定し、蓄電池システムの放電電力により初めに起動すると決定された前記燃料電池システムを起動させる。
【００８２】
これによれば、燃料電池システムに関する情報を用いることにより、系統電源の停電時に少ない数の蓄電池システムの放電電力による、安定した燃料電池システムの起動制御を行うことができる。
（２）第２の態様に係る統合制御方法は、第１の態様において、前記複数の燃料電池システムの中に稼働している燃料電池システムが存在しない場合、前記稼働していない燃料電池システムの燃料電池情報の取得を行う前に、前記蓄電池システムの放電電力により、前記稼働していない燃料電池システムの夫々を前記統合制御装置と通信可能な状態にさせる。
【００８３】
これによれば、燃料電池システムが外部と通信するために発電時以外には外部電力を必要とする燃料電池システムであってもよく、この結果、適用範囲の拡大が図られる。
（３）第３の態様に係る統合制御方法は、第２の態様において、前記燃料電池システムが稼働しているか否かの判断は、前記燃料電池システムの稼働状況の通知を要求する稼働要求信号を生成して前記燃料電池システムに送信し、前記燃料電池システムからの前記稼働要求信号に対する前記燃料電池システムの稼働状況を通知する稼働応答信号に基づいて行われ、前記燃料電池システムに関する燃料電池情報の取得は、前記燃料電池情報の通知を要求する情報要求信号を生成して前記燃料電池システムに送信し、前記燃料電池システムからの前記情報要求信号に対する前記燃料電池情報を通知する情報応答信号を受信することにより行い、前記蓄電池システムから前記燃料電池システムへの放電電力の供給は、前記蓄電池システムと前記燃料電池システムとの間に設けられたスイッチにより、前記蓄電池システムと前記燃料電池システムとを電気的に接続することにより行われる。
【００８４】
（４）第４の態様に係る統合制御方法は、第１の態様において、前記複数の燃料電池システムの中に稼働している燃料電池システムが存在する場合、稼働していない燃料電池システムの夫々から前記燃料電池情報を取得し、前記稼働していない燃料電池システムの夫々の前記燃料電池情報を基に、前記稼働していない燃料電池システムの中から初めに起動する燃料電池システムを決定し、前記稼働している燃料電池システムの発電電力により初めに起動すると決定された前記燃料電池システムを起動させる。
【００８５】
これによれば、系統電源の停電時に稼働中の燃料電池システムの発電電力による安定した燃料電池システムの起動制御を行うことができる。
（５）第５の態様に係る統合制御方法は、第４の態様において、前記複数の燃料電池システムの中に稼働している燃料電池システムが存在する場合、前記稼働していない燃料電池システムの燃料電池情報の取得を行う前に、前記稼働している燃料電池システムの発電電力により前記稼働していない燃料電池システムの夫々を前記統合制御装置と通信可能な状態にさせる。
【００８６】
これによれば、燃料電池システムが外部と通信するために発電時以外には外部電力を必要とする燃料電池システムであってもよく、この結果、適用範囲の拡大が図られる。
（６）第６の態様に係る統合制御方法は、第１の態様において、前記燃料電池情報は、前記燃料電池システムに備えられる貯湯タンクの残り蓄熱可能量を示す情報であり、前記稼働していない燃料電池システムの夫々の前記残り蓄熱可能量に基づいて、前記稼働していない燃料電池システムの中で、前記残り蓄熱可能量が少なくも一部の他の燃料電池システムの前記残り蓄熱可能量よりも大きい燃料電池システムを、前記初めに起動する燃料電池システムとして決定する。
【００８７】
これによれば、初めに起動すると決定された燃料電池システムの発電電力量により、電力負荷（冷蔵庫などの家電機器、照明機器、他の燃料電池システムなど）に安定した電力供給を行うことができる。
（７）第７の態様に係る統合制御方法は、第１の態様において、前記燃料電池情報は、前記燃料電池システムに備えられる貯湯タンクの残り蓄熱可能量を示す情報であり、前記稼働していない燃料電池システムの夫々について、前記残り蓄熱可能量から稼動可能時間を算出し、前記稼働していない燃料電池システムの夫々の前記稼働可能時間に基づいて、前記稼働していない燃料電池システムの中で、前記稼動可能時間が少なくも一部の他の燃料電池システムの前記稼動可能時間よりも長い燃料電池システムを、前記初めに起動する燃料電池システムとして決定する。
【００８８】
これによれば、初めに起動すると決定された燃料電池システムの発電電力量により、電力負荷（冷蔵庫などの家電機器、照明機器、他の燃料電池システムなど）に安定した電力供給を行うことができる。
（８）第８の態様に係る統合制御方法は、第１の態様において、前記燃料電池情報は、前記燃料電池システムの起動に要する起動電力量を示す情報であり、前記稼働していない燃料電池システムの夫々の前記起動電力量に基づいて、前記稼働していない燃料電池システムの中で、前記起動電力量が少なくも一部の他の燃料電池システムの前記起動電力量よりも小さい燃料電池システムを、前記初めに起動する燃料電池システムとして決定する。
【００８９】
これによれば、蓄電池システムの容量を抑えつつ、蓄電池システムの放電電力による安定した燃料電池システムの迅速な起動を行うことができる。
（９）第９の態様に係る統合制御方法は、第１の態様において、前記燃料電池情報は、前記燃料電池システムの起動に要する起動電力量を示す情報、及び、前記燃料電池システムの定格出力を示す情報であり、前記蓄電地システムの残存電力量を示す情報を取得し、前記稼働していない燃料電池システムの夫々の前記起動電力量、及び、前記定格電力と、前記蓄電池システムの前記残存電力量とに基づいて、前記起動電力量が前記残存電力量以下である前記稼働していない燃料電池システムの中で、前記定格出力が少なくも一部の他の燃料電池システムの前記定格出力よりも大きい燃料電池システムを、前記初めに起動する燃料電池システムとして決定する。
【００９０】
これによれば、初めに起動すると決定された燃料電池システムにより、電力負荷（冷蔵庫などの家電機器、照明機器、他の燃料電池システムなど）に効率的に電力供給を行うことができる。
（１０）第１０の態様に係る統合制御方法は、第１の態様において、前記燃料電池情報は、前記燃料電池システムの温度を示す情報であり、前記稼働していない燃料電池システムの夫々の前記温度に基づいて、前記温度が所定温度以下である前記稼働していない燃料電池システムの中で、前記温度が少なくも一部の他の燃料電池システムの前記温度よりも高い燃料電池システムを、前記初めに起動する燃料電池システムとして決定する。
【００９１】
これによれば、電力供給を迅速に行うことができる。
（１１）第１１の態様に係る統合制御方法は、第４の態様において、前記停電情報を受信した場合に稼働している燃料電池システムの定格出力の総和が複数の需要家に備えられている停電時優先負荷の需要電力の総和を超えている場合、新たに燃料電池システムを起動せずに、前記稼働している燃料電池システムの定格出力の総和が前記需要電力の総和になるように前記稼働している燃料電池システムの稼働を停止させ又は発電量を低下させる。
【００９２】
これによれば、複数の燃料電池システムの劣化を抑えることができる。
（１２）第１２の態様に係る統合制御方法は、第１の態様において、前記停電情報を受信した場合、前記複数の燃料電池システムの夫々が稼働しているか否かを判断する前に、前記蓄電池システムの放電電力を、前記統合制御装置に供給させる。
（１３）第１３の態様に係る統合制御方法は、第１の態様において、前記蓄電システムは、前記複数の燃料電池システムの少なくとも１つの前記燃料電池システムの中に設けられている。
【００９３】
（１４）第１４の態様に係る統合制御方法は、第１の態様において、前記蓄電システムは、前記複数の燃料電池システムとは異なる場所に設けられている。
（１５）第１５の態様に係る統合制御方法は、第１の態様において、前記系統電源の停電前は、前記複数の燃料電池システムの夫々は自らが備えるコントローラによって制御され、前記系統電源が停電した場合、前記統合制御装置が前記コントローラとの通信を介して、前記複数の燃料電池システムの夫々を制御する。
【００９４】
これによれば、燃料電池システムに関する情報を用いることにより、系統電源の停電時に蓄電池システムの放電電力による安定した燃料電池システムの起動制御を行うことができる。
（１６）第１６の態様に係る統合制御装置は、燃料電池システムを制御するコンピュータと通信して、複数の燃料電池システムの起動を制御する統合制御装置であって、前記統合制御装置はコントローラ及びインターフェースを備え、前記コントローラは、系統電源の停電を検知するセンサから当該系統電源の停電を示す停電情報を前記インターフェースを介して受信し、前記停電情報を受信した場合に、前記複数の燃料電池システムの夫々が稼働しているか否かを判断し、前記複数の燃料電池システムの中に稼働している燃料電池システムが存在しない場合、稼働していない燃料電池システムの夫々から燃料電池システムに関する燃料電池情報を前記インターフェースを介して取得し、前記稼働していない燃料電池システムの夫々の前記燃料電池情報を基に、前記稼働していない燃料電池システムの中から初めに起動する燃料電池システムを決定し、蓄電池システムの放電電力により初めに起動すると決定された前記燃料電池システムを起動させる。
【００９５】
これによれば、燃料電池システムに関する情報を用いることにより、系統電源の停電時に蓄電池システムの放電電力による安定した燃料電池システムの起動制御を行うことができる。
（１７）第１７の態様に係るプログラムは、燃料電池システムを制御するコンピュータと通信して、複数の燃料電池システムの起動を制御する統合制御装置が実行するプログラムであって、前記統合制御装置に、系統電源の停電を検知するセンサから当該系統電源の停電を示す停電情報を受信し、前記停電情報を受信した場合に、前記複数の燃料電池システムの夫々が稼働しているか否かを判断し、前記複数の燃料電池システムの中に稼働している燃料電池システムが存在しない場合、稼働していない燃料電池システムの夫々から燃料電池システムに関する燃料電池情報を取得し、前記稼働していない燃料電池システムの夫々の前記燃料電池情報を基に、前記稼働していない燃料電池システムの中から初めに起動する燃料電池システムを決定し、蓄電池システムの放電電力により初めに起動すると決定された前記燃料電池システムを起動させる、処理を実行させる。
【００９６】
これによれば、燃料電池システムに関する情報を用いることにより、系統電源の停電時に蓄電池システムの放電電力による安定した燃料電池システムの起動制御を行うことができる。
（１８）第１８の態様に係る電力制御システムは、統合制御装置、複数の燃料電池システム、蓄電池システム、及びセンサを備え、前記統合制御装置により前記複数の燃料電池システムの起動を制御する電力制御システムにおいて、前記統合制御装置は、前記センサが系統電源の停電を検知した場合に、当該センサから当該系統電源の停電を示す停電情報を受信し、前記停電情報を受信した場合に、前記複数の燃料電池システムの夫々が稼働しているか否かを判断し、前記複数の燃料電池システムの中に稼働している燃料電池システムが存在しない場合、稼働していない燃料電池システムの夫々から燃料電池システムに関する燃料電池情報を取得し、前記稼働していない燃料電池システムの夫々の前記燃料電池情報を基に、前記稼働していない燃料電池システムの中から初めに起動する燃料電池システムを決定し、蓄電池システムの放電電力により初めに起動すると決定された前記燃料電池システムを起動させる。
【００９７】
これによれば、燃料電池システムに関する情報を用いることにより、系統電源の停電時に蓄電池システムの放電電力による安定した燃料電池システムの起動制御を行うことができる。
【産業上の利用可能性】
【００９８】
本開示は、複数の燃料電池システムの起動制御に利用することができる。
【符号の説明】
【００９９】
１  電力制御装置
５  系統電源
１００  統合制御装置
１１０  コントローラ
２００ａ，２００ｂ，２００ｃ  燃料電池システム
３００  蓄電池システム
４００ａ，４００ｂ，４００ｃ  スイッチ
５００  センサ
６１０  系統電力配線網
６２０  蓄電池電力配線網
６３０  燃料電池電力配線網
７００  信号線網
【図１】
2017126441.tif 000003
【図２】
2017126441.tif 000004
【図３】
2017126441.tif 000005
【図４】
2017126441.tif 000006
【図５】
2017126441.tif 000007
【図６】
2017126441.tif 000008
【図７】
2017126441.tif 000009
【図８】
2017126441.tif 000010
【図９】
2017126441.tif 000011
【図１０】
2017126441.tif 000012
【図１１】
2017126441.tif 000013
【図１２】
2017126441.tif 000014